(57)【要約】【課題】  ベルト部材によりスライド移動されるクリーニング部材がホームポジションに到達し、ベルト部材が停止する間に、モータにかかる負荷を軽減する。【解決手段】  クリーニングシート３６を針電極２６と摺接しながらスライド移動するための歯付きベルト３４に、歯付き領域αと、歯のないスリップ領域βとを形成する。クリーニングシート３６を往復移動する間は、駆動プーリ３７は、歯付きベルト３４の歯付き領域αと噛み合う。クリーニングシート３６がホームポジションに到達し、歯付きベルト３４が停止する間も、駆動プーリ３７は、停止されることなく、歯付きベルト３４のスライド領域βと摺接回転する。【選択図】図７Ａ
2007025681.tif 000002
【特許請求の範囲】
【請求項１】
コロナ放電部材と、
歯付き領域及びスリップ領域を有し、前記コロナ放電部材に沿って往復移動するベルト部材と、
前記ベルト部材に取着され、前記ベルト部材の往復移動に従い前記コロナ放電部材に摺接可能なクリーニング部材と、
前記ベルト部材の前記歯付き領域あるいは前記スリップ領域と接触可能であり、前記歯付き領域と噛み合って前記ベルト部材を往復移動するベルト駆動部材とを具備することを特徴とする帯電装置。
【請求項２】
前記ベルト部材の前記スリップ領域は、前記クリーニング部材が前記コロナ放電部材と非接触となる位置にあるときに、前記ベルト駆動部材と接触することを特徴とする請求項1記載の帯電装置。
【請求項３】
前記ベルト部材の前記歯付き領域は、前記クリーニング部材が前記コロナ放電部材と接触する位置にあるときに、前記ベルト駆動部材と噛み合うことを特徴とする請求項1又は請求項２記載の帯電装置。
【請求項４】
前記クリーニング部材の前記往復移動の端部に、前記クリーニング部材が前記コロナ放電部材と非接触となる位置にあることを検知する検知手段を、更に具備することを特徴とする請求項１乃至請求項３のいずれか記載の帯電装置。
【請求項５】
前記ベルト部材を、前記スリップ領域が前記ベルト駆動部材と接触する状態から、前記歯付き領域が前記ベルト駆動部材と噛み合う状態に復帰させる、付勢部材を、更に具備することを特徴とする請求項１乃至請求項４のいずれか記載の帯電装置。
【請求項６】
像担持体と、
前記像担持体近傍に設けられ、コロナ放電部材と、歯付き領域及びスリップ領域を有し、前記コロナ放電部材に沿って往復移動するベルト部材と、前記ベルト部材に取着され、前記ベルト部材の往復移動に従い前記コロナ放電部材に摺接可能なクリーニング部材と、前記ベルト部材の前記歯付き領域あるいは前記スリップ領域と接触可能であり、前記歯付き領域と噛み合って前記ベルト部材を往復移動するベルト駆動部材とを有する帯電部材とを具備することを特徴とするプロセスユニット。
【請求項７】
前記ベルト部材の前記スリップ領域は、前記クリーニング部材が前記コロナ放電部材と非接触となる位置にあるときに、前記ベルト駆動部材と接触することを特徴とする請求項６記載のプロセスユニット。
【請求項８】
前記ベルト部材の前記歯付き領域は、前記クリーニング部材が前記コロナ放電部材と接触する位置にあるときに、前記ベルト駆動部材と噛み合うことを特徴とする請求項６又は請求項７記載のプロセスユニット。
【請求項９】
前記帯電部材が、前記クリーニング部材の前記往復移動の端部に、前記クリーニング部材が前記コロナ放電部材と非接触となる位置にあることを検知する検知手段を、更に具備することを特徴とする請求項６乃至請求項８のいずれか記載のプロセスユニット。
【請求項１０】
前記帯電部材が、前記ベルト部材を、前記スリップ領域が前記ベルト駆動部材と接触する状態から、前記歯付き領域が前記ベルト駆動部材と噛み合う状態に復帰させる、付勢部材を、更に具備することを特徴とする請求項６乃至請求項９のいずれか記載のプロセスユニット。
【請求項１１】
像担持体と、
コロナ放電部材により前記像担持体を一様に帯電する帯電部材と、
前記帯電部材により一様に帯電される前記像担持体に露光々を照射して静電潜像を形成する露光部材と、
前記像担持体に形成された前記静電潜像に現像剤を供給してトナー像を形成する現像部材と、
前記像担持体に形成された前記トナー像を記録媒体に転写する転写部材とを具備する画像形成装置において、
前記帯電部材は、コロナ放電部材と、歯付き領域及びスリップ領域を有し、前記コロナ放電部材に沿って往復移動するベルト部材と、前記ベルト部材に取着され、前記ベルト部材の往復移動に従い前記コロナ放電部材に摺接可能なクリーニング部材と、前記ベルト部材の前記歯付き領域あるいは前記スリップ領域と接触可能であり、前記歯付き領域と噛み合って前記ベルト部材を往復移動するベルト駆動部材とを有することを特徴とする画像形成装置。
【請求項１２】
前記ベルト部材の前記スリップ領域は、前記クリーニング部材が前記コロナ放電部材と非接触となる位置にあるときに、前記ベルト駆動部材と接触することを特徴とする請求項１１記載の画像形成装置。
【請求項１３】
前記ベルト部材の前記歯付き領域は、前記クリーニング部材が前記コロナ放電部材と接触する位置にあるときに、前記ベルト駆動部材と噛み合うことを特徴とする請求項１１又は請求項１２記載の画像形成装置。
【請求項１４】
前記帯電部材が、前記クリーニング部材の前記往復移動の端部に、前記クリーニング部材が前記コロナ放電部材と非接触となる位置にあることを検知する検知手段を、更に具備することを特徴とする請求項１１乃至請求項１３のいずれか記載の画像形成装置。
【請求項１５】
前記帯電部材が、前記ベルト部材を、前記スリップ領域が前記ベルト駆動部材と接触する状態から、前記歯付き領域が前記ベルト駆動部材と噛み合う状態に復帰させる、付勢部材を、更に具備することを特徴とする請求項１１乃至請求項１４のいずれか記載の画像形成装置。
【請求項１６】
前記像担持体、前記帯電部材、前記露光部材、及び前記現像部材は、画像形成ユニットを構成し、装置本体に一体的に着脱可能であることを特徴とする請求項１１乃至請求項１５のいずれか記載の画像形成装置。
【請求項１７】
前記画像形成ユニットは、前記装置本体内に複数個並列に配置され、前記複数の画像形成ユニットの複数のベルト駆動部材は、共通の駆動源により同時に駆動されることを特徴とする請求項１６記載の画像形成装置。
【発明の詳細な説明】
【技術分野】
【０００１】
本発明は、複写機やプリンタ等に用いるコロナ放電部材のクリーニング機能を有する帯電装置、プロセスユニット及び画像形成装置に関する。
【背景技術】
【０００２】
近年複写機やプリンタ等の電子写真方式の画像形成装置において、感光体ドラムを均一に帯電し、あるいはトナー像の転写やシート紙の剥離をするために、コロナ放電による帯電装置が用いられている。このコロナ放電による帯電装置は、使用している間に、ワイヤ状あるいは金属板に設けられた針状等のコロナ放電部材が汚染される。帯電装置のコロナ放電部材が汚染されると、感光体ドラムの帯電ムラを生じ、トナー像の転写効率の低下を生じて画像不良の原因となったり、あるいはシート紙の剥離ミスを生じたりする。
【０００３】
このため従来、モータにより回転されるねじ軸により清掃部材を往復動してクリーナパッドでコロナ放電器のチャージワイヤをクリーニングする装置がある。（例えば特許文献１参照。）
【特許文献１】特開平５−２８１８３９号公報(第２、３頁、図１)
【発明の開示】
【発明が解決しようとする課題】
【０００４】
しかしながら近年、上記のように、ねじ軸により清掃部材を往復動するのではなく、モータにより駆動されるプーリと噛み合って往復回動されるワイヤ部材により、クリーニング部材を往復動してコロナ放電部材を摺接クリーニングするクリーニング機構を備えた帯電装置が開発されている。この様なクリーニング機構は、クリーニング部材がコロナ放電部材の両端部に達する前に、往復移動方向が反転されると、コロナ放電部材の全域をクリーニングできず、クリーニング残りを生じてしまう。又クリーニング部材の停止位置が往復移動の端部からずれていると、帯電時に、コロナ放電部材によるコロナ放電がクリーニング部材に邪魔されて、正常な帯電を得られないという問題を有している。
【０００５】
他方、複写機やプリンタ等の画像形成装置においては、並列に配置された複数の感光体ドラム上にそれぞれトナー像を形成した後、トナー像を１枚のシート紙上に多重転写してカラー画像を得るタンデム方式の画像形成装置では、並列に配列される複数のコロナ放電部材の夫々のクリーニング部材を共通のモータにより往復移動する装置が開発されている。
【０００６】
このように共通のモータで複数のクリーニング部材を駆動する場合には、各クリーニング部材が全て同期して往復移動する必要がある。このためモータは、各クリーニング部材が往復移動の端部に到達していることを検知した後、反転駆動あるいは停止するように制御される。即ち、モータは全てのクリーニング部材が往復移動の端部に到達するまでは駆動状態とされる。
【０００７】
しかしながら、上記タンデム方式の画像形成装置では、任意のクリーニング部材が往復移動の端部に到達すると、そのクリーニング部材を支持するベルトが停止することから、停止したベルトと噛み合うプーリの停止により、モータはロックした状態となり、モータに過電流が流れてしまいモータの故障を誘発するおそれがある。
【０００８】
あるいはクリーニング部材の検知手段が故障した場合には、クリーニング部材が往復移動の端部に到達しているにもかかわらず、モータの停止制御が行われない。このためにエラーが検知されてモータが停止されるまでの間は、プーリの停止によるモータのロック状態が続いて、過電流が流れ続けてしまい、検知手段の故障のためにモータまで故障するおそれがある。
【０００９】
又、ベルトの負荷よりもモータの駆動力の方が大きく、クリーニング部材が往復移動の端部に達した後もプーリの回転が続く場合には、ベルトの歯飛びを生じる。又このような場合でもモータに負荷がかかり、モータの故障を誘発するおそれがある。
【００１０】
本発明は上記事情を考慮してなされたもので、クリーニング機構を有する帯電装置において、クリーニング部材がコロナ放電部材の往復移動の端部に到達して、ベルトが停止された時に、駆動中のモータにかかる負荷を軽減して、モータの破損を防止する、帯電装置、プロセスユニット、及び画像形成装置を提供することを目的とする。
【課題を解決するための手段】
【００１１】
本発明は上記課題を解決するための手段として、コロナ放電部材と、歯付き領域及びスリップ領域を有し、前記コロナ放電部材に沿って往復移動するベルト部材と、前記ベルト部材に取着され、前記ベルト部材の往復移動に従い前記コロナ放電部材に摺接可能なクリーニング部材と、前記ベルト部材の前記歯付き領域あるいは前記スリップ領域と接触可能であり、前記歯付き領域と噛み合って前記ベルト部材を往復移動するベルト駆動部材とを設けるものである。
【発明の効果】
【００１２】
本発明の画像形成装置によれば、複数のクリーニング部材を共通の駆動源で駆動するようにすれば、画像形成装置の小型化及び低価格化を図れる。又、複数のクリーニング部材をホームポジションにそろえる時、あるいは制御のタイムラグがある時、さらに複数のクリーニング部材の駆動タイミングのずれがあるときに、駆動源にかかる負荷を小さくでき、その故障を防止できる。
【発明を実施するための最良の形態】
【００１３】
本発明は、複数のクリーニング部材の位相のずれにより、モータにかかる負荷を軽減する。
【実施例】
【００１４】
本発明の実施例について図１乃至図８Ｂを用いて説明する。図１はこの発明の実施例の画像形成装置である、４連タンデム方式のカラー複写機の画像形成部１を示す概略構成図である。画像形成部１は、中間転写ベルト１０の下側に沿って並列配置されるイエロ（Ｙ）、マゼンタ（Ｍ）、シアン（Ｃ）、ブラック（Ｋ）の４組のプロセスユニットである画像形成ユニット１１Ｙ、１１Ｍ、１１Ｃ及び１１Ｋを備える。図２に示す各画像形成ユニット１１Ｙ、１１Ｍ、１１Ｃ及び１１Ｋは、画像形成装置に一体的に、着脱可能となっている。
【００１５】
各画像形成ユニット１１Ｙ、１１Ｍ、１１Ｃ及び１１Ｋは、それぞれ像担持体である感光体ドラム１２Ｙ、１２Ｍ、１２Ｃ及び１２Ｋを有している。転写部材である中間転写ベルト１０の感光体ドラム１２Ｙ、１２Ｍ、１２Ｃ及び１２Ｋに対向する１次転写位置には、１次転写ローラ２０Ｙ、２０Ｍ、２０Ｃ及び２０Ｋにより１次転写電圧が印可され、感光体ドラム１２Ｙ、１２Ｍ、１２Ｃ及び１２Ｋ上のトナー像は中間転写ベルトに１次転写される。
【００１６】
中間転写ベルト１０を張架する駆動ローラ２２により支持される２次転写位置には、２次転写ローラ２３が対向配置される。２次転写位置にあっては、シート紙Ｐを介して２次転写ローラ２３により２次転写電圧が印加され、中間転写ベルト１０上のトナー像はシート紙Ｐに２次転写される。１次転写ローラ２０Ｙ、２０Ｍ、２０Ｃ及び２０Ｋと２次転写ローラ２３は、中間転写ベルト１０と共に転写部材を構成する。中間転写ベルト１０の２次転写ローラ２３の下流にはベルトクリーナ１０ａが設けられる。
【００１７】
各画像形成ユニット１１Ｙ、１１Ｍ、１１Ｃ及び１１Ｋは、それぞれ感光体ドラム１２Ｙ、１２Ｍ、１２Ｃ及び１２Ｋ周囲に、その矢印ｍ方向の回転方向に沿って帯電部材であり帯電装置である帯電チャージャ１３Ｙ、１３Ｍ、１３Ｃ及び１３Ｋ、感光体ドラム１２Ｙ、１２Ｍ、１２Ｃ及び１２Ｋに露光々を照射する露光部材であるレーザ露光装置（図示せず）から照射される各色のレーザビームによる露光位置１７Ｙ、１７Ｍ、１７Ｃ及び１７Ｋ、現像部材である現像装置１８Ｙ、１８Ｍ、１８Ｃ及び１８Ｋ、及び感光体クリーニング装置２１Ｙ、２１Ｍ、２１Ｃ及び２１Ｋを配置してなっている。
【００１８】
次に帯電チャージャ１３Ｙ、１３Ｍ、１３Ｃ及び１３Ｋについて詳述する。各帯電チャージャ１３Ｙ、１３Ｍ、１３Ｃ及び１３Ｋは同一構造であることから、共通の符号を用いて説明する。図３及び図４に示すように各帯電チャージャ１３Ｙ、１３Ｍ、１３Ｃ及び１３Ｋは、チャージャケース２４内に、感光体ドラム１２Ｙ、１２Ｍ、１２Ｃ及び１２Ｋ表面を均一に全面帯電するためのコロナ放電部材である針電極２６を有する。
【００１９】
針電極２６は、薄い金属板２６ａに針状の突起２６ｂを形成してなり、針状の突起２６ｂ先端からコロナ放電を行う。又帯電チャージャ１３Ｙ、１３Ｍ、１３Ｃ及び１３Ｋは、針電極２６に付着する、オゾンによる酸化物、浮遊トナーあるいは紙粉等の汚れをクリーニングする、チャージャクリーニング装置２７を有する。
【００２０】
チャージャクリーニング装置２７は、クリーニング部材であるクリーニングシート３６により、針電極２６の針状の突起２６ｂ先端をこすって、針電極２６に付着した汚れを落とす。チャージャクリーニング装置２７は、図５及び図６に示す共通の駆動源であるモータ３０を有している。モータ３０の駆動は、クリーナ駆動軸３２、更には第１のクリーナ歯車３１Ｙ、３１Ｍ、３１Ｃ及び３１Ｋ、第２のクリーナ歯車３３Ｙ、３３Ｍ、３３Ｃ及び３３Ｋを介して、各帯電チャージャ１３Ｙ、１３Ｍ、１３Ｃ及び１３Ｋの各ベルト駆動部材である、駆動プーリ３７に伝達される。駆動プーリ３７は、第２のクリーナ歯車３３Ｙ、３３Ｍ、３３Ｃ及び３３Ｋと同軸となっている。
【００２１】
駆動プーリ３７は、チャージャケース２４の端部に配置される。チャージャケース２４の他端には、ベルト張設部材であるテンションプーリ３８が設けられる。駆動プーリ３７及びテンションプーリ３８にはベルト部材である歯付きベルト３４が掛け渡されている。クリーニングシート３６は歯付きベルト３４に固定される。歯付きベルト３４は、図７、図８に示す様に、歯が形成される歯付き領域αと、図７及び図８に一部破線で示す歯のないスリップ領域βを有する。歯付きベルト３４は、歯付き領域αが駆動プーリ３７と噛み合うことにより、駆動プーリ３７の回転に従い往復回動可能となっている。歯付きベルト３４のスリップ領域βは、駆動プーリ３７とスリップ可能となっている。
【００２２】
歯付きベルト３４に対して、クリーニングシート３６を支持する取り付け部材４４が固定される。モータ３０の正回転あるいは逆回転に従い、往復回動される歯付きベルト３４により、クリーニングシート３６は針電極２６の針状の突起２６ｂ先端をこすりながら往復移動する。更に歯付きベルト３４に対して取り付け部材４４が固定される位置と対称となる位置にはプッシャ４６が固定される。プッシャ４６は、クリーニングシート３６を有しない状態の取り付け部材４４と同じに形成されている。
【００２３】
取り付け部材４４は、図７Ｂに示すようにスライダ４８を介して、クリーニングシート３６が駆動プーリ３７側のチャージャケース２４の端部のホームポジションに到達したことを検知するための位置検知スイッチ４７をスイッチングする。一方プッシャ４６は、図８Ｂに示すようにスライダ４８を介して位置検知スイッチ４７をスイッチングすることにより、クリーニングシート３６がテンションプーリ３８側のチャージャケース２４の端部の退避ポジションに到達したことを検知する。クリーニングシート３６は、ホームポジション或いは退避ポジションに到達した時には、針電極２６と離間する。
【００２４】
位置検知スイッチ４７はチャージャケース２４端部に配置される。位置検知スイッチ４７をスイッチングするスライダ４８は、チャージャケース２４に固定されるバネ押さえ５０に支持される付勢部材である押戻し用バネ５１により常に矢印ｇ方向に付勢される。取り付け部材４４あるいはプッシャ４６が、チャージャケース２４端部に到達して、押戻し用バネ５１の付勢力に抗してスライダ４８を矢印ｇ方向と逆方向にスライドすることにより、位置検知スイッチ４７のスイッチングが行われる。スライダ４８は、取り付け部材４４あるいはプッシャ４６の移動の始動時に、取り付け部材４４あるいはプッシャ４６を矢印ｇ方向に付勢する。
【００２５】
歯付きベルト３４の歯付き領域αは、クリーニングシート３６を往復移動する間は、駆動プーリ３７と噛み合う位置に形成されている。歯付きベルト３４のスリップ領域βは、取り付け部材４４がチャージャケース２４端部のホームポジションあるいは退避ポジションに到達し、取り付け部材４４あるいはプッシャ４６がスライダ４８に当接して歯付きベルト３４の回動が停止した時に、駆動プーリ３７と摺接する位置に設けられている。
【００２６】
次に作用について述べる。画像形成装置の設置後、あるいはいずれかの画像形成ユニット１１Ｙ、１１Ｍ、１１Ｃ及び１１Ｋを交換した後、更にはクリーニングシート３６の交換等のメンテナンスをした後には、各帯電チャージャ１３Ｙ、１３Ｍ、１３Ｃ及び１３Ｋにおけるクリーニングシート３６の位置が揃っていない。従って先ず各帯電チャージャ１３Ｙ、１３Ｍ、１３Ｃ及び１３Ｋにおけるクリーニングシート３６を全てホームポジションに揃える。
【００２７】
例えば複写機を画像形成モードからメンテナンスモードに切り替えて、画像形成ユニット１１Ｙ、１１Ｍ、１１Ｃ及び１１Ｋの交換や、クリーニングシート３６の交換を行ったら、クリーニングシート３６をホームポジションに揃えるための操作を開始する。
【００２８】
クリーニングシート３６を揃える操作の開始時には、各帯電チャージャ１３Ｙ、１３Ｍ、１３Ｃ及び１３Ｋにおけるクリーニングシート３６位置が不明であることから、一旦全ての歯付きベルト３４を所定時間矢印ｘ方向に回転する。即ち、モータ３０を正回転して、クリーナ駆動軸３２を介して、第１のクリーナ駆動歯車３１Ｙ、３１Ｍ、３１Ｃ及び３１Ｋを全て同期回転する。これにより第１のクリーナ歯車３１Ｙ、３１Ｍ、３１Ｃ及び３１Ｋと嵌りあう第２のクリーナ歯車３３Ｙ、３３Ｍ、３３Ｃ及び３３Ｋ、更には駆動プーリ３７が矢印ｘ方向に回転する。歯付きベルト３４は駆動プーリ３７により矢印ｘ方向に回動し、取り付け部材４４及びこれに支持されるクリーニングシート３６は、矢印ｗ方向に移動する。
【００２９】
取り付け部材４４がスライダ４８を介して位置検知スイッチ４７をスイッチングすると、位置検知スイッチ４７は、歯付きベルト３４の矢印ｘ方向の回転方向から、クリーニングシート３６がホームポジションに到達したことを認識する。
【００３０】
モータ３０は、全ての帯電チャージャ１３Ｙ、１３Ｍ、１３Ｃ及び１３Ｋにおいて、クリーニングシート３６がホームポジションに到達して位置検知スイッチ４７がスイッチングされるまで駆動される。一方、クリーニングシート３６がホームポジションに到達して、取り付け部材４４がスライダ４８に当接された任意の帯電チャージャ１３Ｙ、１３Ｍ、１３Ｃ及び１３Ｋにあっては、歯付きベルト３４の回動が停止される。但しこの時歯付きベルト３４のスリップ領域βが駆動プーリ３７と摺接している。従って駆動プーリ３７は回転し続けることが出来、モータ３０はロックされない。
【００３１】
この後、全ての帯電チャージャ１３Ｙ、１３Ｍ、１３Ｃ及び１３Ｋにおいてクリーニングシート３６がホームポジションに到達して、位置検知スイッチ４７がスイッチングされると、モータ３０は停止する。この間クリーニングシート３６がホームポジションに到達した順に、歯付きベルト３４の回動が停止される。但し、歯付きベルト３４のスリップ領域βが駆動プーリ３７と摺接するので、モータ３０にかかる負荷は小さく、モータ３０はロックされない。
【００３２】
また例えばモータ３０を制御する際のタイムラグにより、クリーニングシート３６がホームポジションに到達して歯付きベルト３４の回動が停止されるタイミングに比べて、位置検知スイッチ４７のスイッチングによりモータ３０を停止制御するタイミングが遅れたとしても、歯付きベルト３４のスリップ領域βが駆動プーリ３７と摺接するので、駆動プーリ３７は回転し続け、モータ３０はロックされない。
【００３３】
このように全ての各帯電チャージャ１３Ｙ、１３Ｍ、１３Ｃ及び１３Ｋのクリーニングシート３６をホームポジションに配置した後、メンテナンスモードを解除して、複写機を画像形成モードに戻す。
【００３４】
画像形成モードによる画像形成開始により、スキャナやパソコン端末等から画像情報が入力されると各感光体ドラム１２Ｙ、１２Ｍ、１２Ｃ及び１２Ｋが回転され各画像形成ユニット１１Ｙ、１１Ｍ、１１Ｃ及び１１Ｋにて、順次画像形成工程が実施される。イエロ（Ｙ）の画像形成ユニット１１Ｙでは感光体ドラム１２Ｙ表面が帯電チャージャ１３Ｙにより一様に帯電され、次いで露光位置１７Ｙにてイエロ（Ｙ）の画像情報に対応するレーザビームを照射されて静電潜像を形成される。更に感光体ドラム１２Ｙは、現像装置１８Ｙにてトナー像を形成され、矢印ｓ方向に回転される中間転写ベルト１０と接触して１次転写ローラ２０Ｙによりトナー像を中間転写ベルト１０上に１次転写する。
【００３５】
このイエロ（Ｙ）のトナー像形成プロセスと同様にして、マゼンタ（Ｍ）、シアン（Ｃ）及びブラック（Ｋ）のトナー像形成プロセスを行う。各感光体ドラム１２Ｍ、１２Ｃ及び１２Ｋに形成されたトナー像は、中間転写ベルト１０上のイエロ（Ｙ）のトナー像が形成された同一位置に順次転写後、２次転写ローラ２３位置に達し、シート紙Ｐ上に一括２次転写される。この後シート紙Ｐは定着工程を経てトナー像を完成される。中間転写ベルト１０は、２次転写終了後、ベルトクリーナ１０ａにより残留トナーをクリーニングされる。又感光体ドラム１２Ｙ、１２Ｍ、１２Ｃ及び１２Ｋは、トナー像を中間転写ベルト１０に１次転写した後、クリーニング装置２１Ｙ、２１Ｍ、２１Ｃ及び２１Ｋにより残留トナーを除去され、次ぎの画像形成プロセス可能とされる。
【００３６】
このような画像形成プロセスを実施する間に、帯電チャージャ１３Ｙ、１３Ｍ、１３Ｃ及び１３Ｋの針電極２６に汚れが付着するが、この汚れを付着したままにしておくと放電が不均一となり帯電ムラを生じ、画質劣化の原因と成る。従って、予め設定された所定のタイミングであるいは必要に応じて、チャージャクリーニング装置２７により針電極２６をクリーニングする。
【００３７】
クリーニング操作は、モータ３０を正回転して、クリーナ駆動軸３２を介して、第１のクリーナ駆動歯車３１Ｙ、３１Ｍ、３１Ｃ及び３１Ｋと、これに嵌りあう第２のクリーナ歯車３３Ｙ、３３Ｍ、３３Ｃ及び３３Ｋを同期回転して、全ての帯電チャージャ１３Ｙ、１３Ｍ、１３Ｃ及び１３Ｋの駆動プーリ３７を矢印ｔ方向に回転する。
【００３８】
駆動プーリ３７は回転開始時に、歯付きベルト３４のスリップ領域βと接触していて、本来そのままでは、歯付きベルト３４は、駆動プーリ３７とスリップしてしまう。しかしながらスライダ４８により、取り付け部材４４は矢印ｇ方向に押されているので、歯付きベルト３４は、駆動プーリ３７との摩擦力とスライダ４８が押す力とにより、スリップすることなく矢印ｔ方向に動き始める。次いで歯付きベルト３４の歯付き領域αの１枚の歯が駆動プーリ３７と噛み合うことにより、歯付きベルト３４は矢印ｔ方向に回転する。
【００３９】
歯付きベルト３４の回転に従い、全ての帯電チャージャ１３Ｙ、１３Ｍ、１３Ｃ及び１３Ｋの、取り付け部材４４に支持されるクリーニングシート３６は同期して、ホームポジションから矢印ｖ方向に往動する。矢印ｖ方向に往動する間に、クリーニングシート３６は、針電極２６の針状の突起２６ｂ先端をこすり、針電極２６に付着した汚れを落とす。
【００４０】
この間、取り付け部材４４と対称となる位置にて歯付きベルト３４に取着されるプッシャ４６は、駆動プーリ３７方向に移動される。矢印ｖ方向に往動するクリーニングシート３６が退避ポジションに到達すると、プッシャ４６はスライダ４８を介して位置検知スイッチ４７をスイッチングする。又、プッシャ４６がスライダ４８に当接することにより、歯付きベルト３４の回動が停止する。この時歯付きベルト３４のスリップ領域βが駆動プーリ３７と摺接する。
【００４１】
同期して移動される全ての帯電チャージャ１３Ｙ、１３Ｍ、１３Ｃ及び１３Ｋのクリーニングシート３６が退避ポジションに到達して、全てのプッシャ４６がスライダ４８を介して位置検知スイッチ４７をスイッチングしたら、モータ３０を逆転して、歯付きベルト３４を矢印ｘ方向に復動する。
【００４２】
クリーニングシート３６は、スタートポジションから同期して移動されるので、基本的には全てのクリーニングシート３６が退避ポジションに到達するタイミングは同じになる。但し往動開始時に、駆動プーリ３７が歯付き領域αと噛み合うタイミングのズレ等により、クリーニングシート３６が退避ポジションに到達するタイミングがずれると、いずれかのプッシャ４６が先にスライダ４８に当接して、歯付きベルト３４の回動を停止させる。このようにいずれかの歯付きベルト３４が先に停止したとしても、歯付きベルト３４のスリップ領域βが駆動プーリ３７と摺接するので、駆動プーリ３７は回転し続けることが出来、モータ３０はロックされない。
【００４３】
またモータ３０を制御する際のタイムラグにより、歯付きベルト３４の回動が停止されるタイミングに比べて、モータ３０を逆転するタイミングが遅れたとしても、歯付きベルト３４のスリップ領域βが駆動プーリ３７と摺接するので、駆動プーリ３７は回転し続けることが出来、モータ３０はロックされない。
【００４４】
モータ３０の逆転による歯付きベルト３４の矢印ｘ方向への復動開始時に、駆動プーリ３７は歯付きベルト３４のスリップ領域βと接触している。しかしながら歯付きベルト３４は、駆動プーリ３７との摩擦力とスライダ４８がプッシャ４６を矢印ｇ方向に押す力とにより、スリップすることなく矢印ｘ方向に動き始める。次いで歯付きベルト３４の歯付き領域αの１枚の歯が駆動プーリ３７と噛み合うことにより、歯付きベルト３４は矢印ｘ方向に回転する。
【００４５】
歯付きベルト３４の回転に従い、全ての帯電チャージャ１３Ｙ、１３Ｍ、１３Ｃ及び１３Ｋの、取り付け部材４４に支持されるクリーニングシート３６は同期して、退避ポジションから矢印ｗ方向に復動する。矢印ｗ方向に復動する間に、クリーニングシート３６は、針電極２６の針状の突起２６ｂ先端をこすり、針電極２６に付着した汚れを落としながらホームポジションに戻る。
【００４６】
歯付きベルト３４は、退避ポジションから同期して復動されるので、基本的に全てのクリーニングシート３６がホームポジションに到達するタイミングは同じになる。但しクリーニングシート３６がホームポジションに到達するタイミングがずれて、いずれかの取り付け部材４４が先にスライダ４８に当接することにより、先に停止する歯付きベルト３４があったとしても、歯付きベルト３４のスリップ領域βが駆動プーリ３７と摺接しているので、駆動プーリ３７は回転し続けることが出来、モータ３０はロックされない。
【００４７】
全ての帯電チャージャ１３Ｙ、１３Ｍ、１３Ｃ及び１３Ｋにおいて位置検知スイッチ４７がスイッチングされ、全てのクリーニングシート３６がホームポジションに戻ったことを検知すると、モータ３０は駆動停止して、チャージャクリーニング装置２７による針電極２６のクリーニングを完了し、各帯電チャージャ１３Ｙ、１３Ｍ、１３Ｃ及び１３Ｋは、コロナ放電操作を待機することとなる。この時モータ３０を制御する際のタイムラグにより、歯付きベルト３４の回動が停止されるタイミングに比べて、モータ３０を逆転するタイミングが遅れたとしても、歯付きベルト３４のスリップ領域βが駆動プーリ３７と摺接するので、駆動プーリ３７は回転し続けることが出来、モータ３０はロックされない。
【００４８】
この実施例によれば、４連タンデム方式のカラー複写機において、各帯電チャージャ１３Ｙ、１３Ｍ、１３Ｃ及び１３Ｋのクリーニング部材移動装置２８を共通のモータ３０により同時に駆動することから、各帯電チャージャ１３Ｙ、１３Ｍ、１３Ｃ及び１３Ｋ毎にクリーニングモータを備える必要が無く、装置の小型化をえられ、且つ装置の低価格化を図れる。
【００４９】
又メンテナンス終了後等に各帯電チャージャ１３Ｙ、１３Ｍ、１３Ｃ及び１３Ｋのクリーニングシート３６をホームポジションに揃える時に、クリーニングシート３６がホームポジションに到達すると、歯付きベルト３４のスリップ領域βが駆動プーリ３７と摺接する。従ってクリーニングシート３６がホームポジションに到達した順に、いずれかの歯付きベルト３４が先に停止しても、駆動プーリ３７は回転し続けることが出来、モータ３０はロックされない。従ってモータ３０のロックによる故障を防止して、全てのクリーニングシート３６をホームポジションに揃えることが出来る。
【００５０】
又制御のタイムラグにより、モータ３０の停止前に歯付きベルト３４が先に停止したとしても、歯付きベルト３４の停止時には歯付きベルト３４のスリップ領域βが駆動プーリ３７と摺接する。従って駆動プーリ３７は回転し続けることが出来、モータ３０はロックされず、モータ３０のロックによる故障を防止出来る。又クリーニング時に各帯電チャージャ１３Ｙ、１３Ｍ、１３Ｃ及び１３Ｋのクリーニングシート３６の退避ポジションへの到達がずれる。あるいはホームポジションへの復帰がずれて、いずれかの歯付きベルト３４が先に停止したとしても、駆動プーリ３７は歯付きベルト３４のスリップ領域βと摺接する。従って駆動プーリ３７は回転し続けることが出来、モータ３０はロックされず、モータ３０のロックによる故障を防止して、全てのクリーニングシート３６をホームポジションに揃えることが出来る。
【００５１】
又、ホームポジション或いは退避ポジションにおいて、取り付け部材或いはプッシャはスライダ４８により常時往動方向或いは復動方向に付勢される。従って、往動或いは復動の開始時のスリップを防止できる。
【００５２】
尚この発明は上記実施例に限られるものではなく、この発明の範囲内で種々変形可能であり、例えば画像形成装置に用いられるコロナ放電部材は、帯電チャージャに限定されず、転写チャージャや剥離チャージャ等であっても良い。又コロナ放電部材の形態も針電極に限定されずワイヤ状の放電部材である等任意である。ワイヤ状の放電部材の場合には、クリーニング部材として砥石を放電部材に摺動すれば放電部材の汚れを効果的にクリーニング可能となる。
【００５３】
更に駆動源によるチャージャクリーニング装置の作動も限定されず、１回のクリーニング操作を、クリーニング部材の往動のみ或いは復動のみとしても良い。或いは逆に1回のクリーニング操作でクリーニング部材を複数回往復移動しても良い。
【００５４】
又画像形成装置は、モノクロであっても良い。モノクロの画像形成装置のように帯電を単一のコロナ放電部材で行い、チャージャクリーニング装置が単一である場合でも、コロナ放電部材やチャージャクリーニング装置のメンテナンス後に、クリーニング部材をホームポジションに設定しなければならない。即ち例えばメンテナンス終了後、チャージャクリーニング装置を駆動するためのモータは、クリーニング部材がホームポジションに戻る方向に所定時間回転し続ける。
【００５５】
このためメンテナンス時当初のクリーニング部材の位置によっては、所定時間より相当前に、クリーニング部材がホームポジションに到達してベルト部材が停止する。ただし、ベルト部材の停止時には駆動プーリは、スリップ領域と摺接するので、モータにかかる負荷が小さく、モータの故障を防止出来る。
【００５６】
又ベルト部材の構造も限定されず、歯付き領域と、スリップ領域の配置も限定されない。例えば少なくともコロナ放電部材の全長に渡りクリーニング部材を往復移動するのに必要な範囲のみに歯付き領域を設け、他はスリップ領域としても良い。又検知手段は、ベルト駆動部材側とベルト張設部材側との両方に夫々設けるようにしても良い。
【図面の簡単な説明】
【００５７】
【図１】本発明の実施例のカラー複写機の画像形成部を示す概略構成図。
【図２】本発明の実施例の画像形成ユニットの１つを示す斜視図。
【図３】本発明の実施例の帯電チャージャを示す概略斜視図。
【図４】本発明の実施例のチャージャクリーニング装置を示す一部斜視図。
【図５】本発明の実施例の４連の画像形成ユニットのモータ及びチャージャクリーニング装置を示す斜視図。
【図６】本発明の実施例のモータ及びチャージャクリーニング装置を下から見た一部斜視図。
【図７Ａ】本発明の実施例のクリーニングシートがホームポジションに到達する前のチャージャクリーニング装置の一部を示す概略説明図。
【図７Ｂ】本発明の実施例のクリーニングシートのホームポジションへの到達時のチャージャクリーニング装置の一部を示す概略説明図。
【図８Ａ】本発明の実施例のクリーニングシートが退避ポジションに到達する前のチャージャクリーニング装置の一部を示す概略説明図。
【図８Ｂ】本発明の実施例のクリーニングシートの退避ポジションへの到達時のチャージャクリーニング装置の一部を示す概略説明図。
【符号の説明】
【００５８】
１…画像形成部
１０…中間転写ベルト
１１Ｙ、１１Ｍ、１１Ｃ、１１Ｋ…画像形成ユニット
１２Ｙ、１２Ｍ、１２Ｃ、１２Ｋ…感光体ドラム
１３Ｙ、１３Ｍ、１３Ｃ及び１３Ｋ…帯電チャージャ
２４…チャージャケース
２６…針電極
２７…チャージャクリーニング装置
３０…モータ
３４…歯付きベルト
３６…クリーニングシート
３７…駆動プーリ
３８…テンションプーリ
４４…取り付け部材
４６…プッシャ
４７…位置検知スイッチ
４８…スライダ
５１…押戻し用バネ
【図２】
2007025681.tif 000003
【図３】
2007025681.tif 000004
【図４】
2007025681.tif 000005
【図５】
2007025681.tif 000006
【図６】
2007025681.tif 000007
【図７Ａ】
2007025681.tif 000008
【図７Ｂ】
2007025681.tif 000009
【図８Ａ】
2007025681.tif 000010
【図８Ｂ】
2007025681.tif 000011
【図１】
2007025681.tif 000012